(57)【要約】【課題】ロール紙繰り出し切断容器の軽量化を促進しロール紙の出し入れとロール紙の繰り出しおよびその切断とを迅速容易、かつ安全確実に実行可能となした投げ込み式のロール紙繰り出し切断容器を安価に多量製造可能とすること。【解決手段】ロール紙繰り出し切断容器１の後面板１Ｃに前記上蓋３の枢支部３Ｂを経た上蓋後縁３Ｃに係合する開蓋保持弾片５と閉蓋弾圧弾片６とを突設し、前記開蓋保持弾片５で開蓋状態にある上蓋３の前倒を防止し、前記閉蓋弾圧弾片６の弾撥力で前記繰り出し途中のロール紙２を千切らずに弾圧して繰り出せ、しかも切断後の容器内ロール紙反転による容器外ロール紙繰り出し部分２Ａの容器内引き込みを阻止する程度に弾圧閉蓋維持するとともに、前記容器１の前部端辺内面に形成した閉蓋維持部１Ｅに上蓋３の前部端辺下面に突設した突片３Ｅの閉蓋維持部３Ｆをさらに手指などによる外力で係合させることで、閉じた上蓋３にロール紙切断力が加わっても前記弾圧閉蓋維持状態を確保可能となした。【選択図】  図１
2004202046.tif 000002
【特許請求の範囲】
【請求項１】
上部開放の容器１内に収納したロール紙２の繰り出し部分２Ａを容器前辺１Ａから手前に引き出し、その上から容器開口縁１Ｂに後部枢支の上蓋３を被せ、その前辺下面３Ａと容器前辺１Ａでロール紙２を挟圧し、その繰り出し部分２Ａを上蓋３の前辺刃先４で切断可能となしたロール紙繰り出し切断容器において、前記容器１の後面板１Ｃに前記上蓋３の枢支部３Ｂを経た上蓋後縁３Ｃに係合する開蓋保持弾片５と閉蓋弾圧弾片６とをそれぞれ突設し、前記開蓋保持弾片５で開蓋状態にある上蓋３の前倒を防止し、前記閉蓋弾圧弾片６の弾撥力で前記繰り出し途中のロール紙２を千切らずに弾圧して繰り出せ、しかも切断後の容器内ロール紙反転による容器外ロール紙繰り出し部分２Ａの容器内引き込みを阻止する程度に弾圧閉蓋維持するとともに、前記容器１の前部端辺内面に形成した閉蓋維持部１Ｅに上蓋３の前部端辺下面に突設した突片３Ｅの閉蓋維持部３Ｆをさらに外力で係合させることで、閉じた上蓋３にロール紙切断力が加わっても前記弾圧閉蓋維持状態を確保可能となしたロール紙繰り出し切断容器。
【請求項２】
上部開放の容器１内に収納したロール紙２の繰り出し部分２Ａを容器前辺１Ａから手前に引き出し、その上から容器開口縁１Ｂに後部枢支の上蓋３を被せ、その前辺下面３Ａと容器前辺１Ａでロール紙２を挟圧し、その繰り出し部分２Ａを上蓋３の前辺刃先４で切断可能となしたロール紙繰り出し切断容器において、前記容器１をプラスチックで成形して作り、その後面板１Ｃの内面に前記上蓋３の枢支部３Ｂを経た上蓋後縁３Ｃに係合する開蓋保持弾片５と閉蓋弾圧弾片６とをそれぞれ一体突設し、前記開蓋保持弾片５で開蓋状態にある上蓋３の前倒を防止し、また前記閉蓋弾圧弾片６の弾撥力で前記繰り出し途中のロール紙２を千切らずに弾圧して繰り出せる程度に、しかも切断後の容器内ロール紙反転による容器外ロール紙繰り出し部分２Ａの容器内引き込みを阻止する程度に弾圧閉蓋維持するとともに、前記容器１の前部端辺内面に形成した閉蓋維持部１Ｅに上蓋３の前部端辺下面に突設した突片３Ｅの閉蓋維持部３Ｆをさらに外力で係合させることで、閉じた上蓋３にロール紙切断力が加わっても前記弾圧閉蓋維持状態を確保可能となしたロール紙繰り出し切断容器。
【請求項３】
前記上蓋３の閉蓋維持部３Ｆと前記容器１の閉蓋維持部１Ｅとをそれぞれ上蓋３と容器１との左右両側に設けてなる請求項１および請求項２に記載のロール紙繰り出し切断容器。
【請求項４】
前記上蓋３の閉蓋維持部３Ｆと前記容器１の閉蓋維持部１Ｅとをそれぞれ斜面付き突起として形成してなる請求項１から請求項３までのいずれか一つの請求項に記載のロール紙繰り出し切断容器。
【請求項５】
前記弾片形成部材７に開蓋保持弾片５と閉蓋弾圧弾片６とを弾性プラスチックで一体成形した弾片形成部材７を用い、この弾片形成部材７をその係止鉤片７Ａで容器後面板１Ｃの係止孔縁１Ｄに係止定着してなる請求項１、請求項３または、請求項４に記載のロール紙繰り出し切断容器。
【請求項６】
前記容器１と上蓋３との側面形状をそれぞれほぼ円形およびほぼ弧形となした請求項１から請求項５までのいずれか一つの請求項に記載のロール紙繰り出し切断容器。
【請求項７】
前記上蓋３の内面にその周方向に沿わせて複数の縦リブ３Ｄを並列突設してなる請求項１から請求項６までのいずれか一つの請求項に記載のロール紙繰り出し切断容器。
【請求項８】
前記閉蓋弾圧弾片６に前下がり斜面６Ａを形成し、この斜面を上蓋３の上蓋後縁３Ｃに係合可能に構成してなる請求項１から請求項７までのいずれか一つの請求項に記載のロール紙繰り出し切断容器。
【発明の詳細な説明】
【０００１】
【発明の属する技術分野】
この発明は、ロール紙または、これに近似したロール巻きシートやフィルムなどを投げ込み式に収納でき、これらを繰り出して切断できるロール紙繰り出し切断容器に係り、特に本発明では、上記容器に対するロール紙の出し入れとロール紙の繰り出しおよびその切断とを迅速容易、かつ、安全確実に実行可能となしたロール紙繰り出し切断容器に関する。
【０００２】
【従来の技術】
従来の投げ込み収納式のロール紙繰り出し切断容器としては、特開平８−１９６４６７号公報や実開平５−８２３９３号公報記載のものなどが周知である。
これらの各従来の技術は、いずれも、後面を壁面などに定着設置して使用する上部開放の投げ込み収納式の容器内にロール紙を投げ込んで収納した後、このロール紙の繰り出し部分を容器前辺から手前に引き出し定位するとともに、前記容器の後部で枢支した上蓋をその自重または、錘の重力で容器開口縁に被せ、この上蓋下部と容器前辺とで前記繰り出し部分を挟み付けて所望のブレーキを掛け、ロール紙の繰り出し牽引力を所望値になるように設定することで、この繰り出し部分を容器または、上蓋の前辺に横設した刃先でカットできるとしたロール紙繰り出し切断容器である。
【０００３】
【発明が解決しようとする課題】
これら各従来例を初めとして従来の投げ込み収納式のロール紙繰り出し切断容器は、一般に、前記容器の後部で枢支した上蓋をその自重、または錘の重力で容器の開口縁に被せて前記のように使用するものだから、容器開口縁に被せた前記上蓋の下部と容器前辺とで前記繰り出し部分を挟み所望のブレーキを掛けることと、閉蓋状態にある上蓋が妄りに動かないようにするには、上蓋自体または、上記錘付き上蓋をそれぞれ重くする必要があり、ロール紙繰り出し切断容器全体としてもかなりの重量物となってしまうという本質的な問題点が有るし、容器内にロール紙を収納するときやロール紙空心を容器から取り出すときのように、上蓋がほぼ直立の開蓋状態にある場合には、この直立上蓋が極めて倒れ易く、手指で押さえてないと僅かな振動や衝撃などの僅少外乱でも、上記重い上蓋が容器開口縁に向かい大きく「バタン」と倒れ、手指に強い衝撃を与える結果となり、怪我する危険も有るという本質的かつ、大きな問題点が有る。
【０００４】
この他の従来例として、実開昭６１−１０９３９０号公報記載のように、ロール紙繰り出し部分をカットする容器前辺の反対側の容器後側に上蓋を大きく回動させて開蓋する卓上タイプものも有るが、これでは、容器後面を壁面などに定着設置して使用することができず、容器後面を壁面などに定着して使用するには、この従来例公報第５図とその説明のように、容器上蓋を容器本体から分離できる着脱式の被せ蓋とする必要があり、この被せ蓋は分離紛失し易いし、その保管や取り扱いも面倒で厄介であるという本質的かつ、大きな問題点が有る。
【０００５】
この発明は、上記多くの問題点をすべて解決するために、ロール紙または、これに近似したロール巻きシートやフィルムなどを投げ込み収納してこれらを繰り出し切断できるロール紙繰り出し切断容器の軽量化を促進するとともに、容器に対するロール紙の出し入れとロール紙の繰り出しおよびその切断とを迅速容易、かつ、安全確実に実行可能となした投げ込み式のロール紙繰り出し切断容器を多量製造可能とすることを目的とする。
【０００６】
【課題を解決するための手段】
上記した本発明の目的は、上部開放の容器内に収納したロール紙の繰り出し部分を容器前辺から手前に引き出し、その上から容器開口縁に後部枢支の上蓋を被せ、その前辺下面と容器前辺でロール紙を挟圧し、その繰り出し部分を上蓋の前辺刃先で切断可能となしたロール紙繰り出し切断容器を構成するに当たり、前記容器の後面板に前記上蓋の枢支部を経た上蓋後縁に係合する開蓋保持弾片と閉蓋弾圧弾片とをそれぞれ突設し、前記開蓋保持弾片で開蓋状態にある上蓋の前倒を防止し、前記閉蓋弾圧弾片の弾撥力で前記繰り出し途中のロール紙を千切らずに弾圧して繰り出せ、しかも切断後の容器内ロール紙反転による容器外ロール紙繰り出し部分の容器内引き込みを阻止する程度に前記上蓋を弾圧閉蓋維持するとともに、前記容器の前部端辺内面に形成した閉蓋維持部に上蓋の前部端辺下面に突設した突片の閉蓋維持部を外力で係合させることで、閉じた上蓋にロール紙切断力が加わっても前記弾圧閉蓋維持状態を確保可能としたことで達成できた。
【０００７】
【発明の実施の形態】
本発明の実施の形態例について図面を参照して説明する。
この発明の基本的な実施形態の一例としては、図１のようにトイレの壁面などに定着設置して使用する金属やプラスチックなどで側面ほぼ円形に作った上部開放の容器１内にロール紙２を図４のように例えば投げ込み式に収納してこの繰り出し部分２Ａを容器前辺１Ａから手前に引き出し同図４のように定位するとともに、その上から容器開口縁１Ｂに金属やプラスチックなどで側面ほぼ弧形に作った上蓋３をその後部両側における枢支部３Ｂを支点として図２および図３のように被せ、前記繰り出し部分２Ａを上蓋３の前辺刃先４で図２のように切断可能となしたロール紙繰り出し切断容器を構成するに当たり、本発明では先ず、前記容器１の後面板１Ｃに前記上蓋枢支部３Ｂを経た上蓋後縁３Ｃに係合して開蓋状態を維持するための強弾性プラスチックやばね鋼材などで作った開蓋保持弾片５を図５および図６の取り付け順序を経て図３、図４および図７のように突設し、この弾片５を開いた上蓋３の後縁３Ｃに図４および図８のように係合させることで、開蓋状態にある上蓋３の無用な前倒を防止できるようにする。
【０００８】
さらに、本発明では、前記上蓋後縁３Ｃに係合してこれを手前斜め上向きに弾撥することで、前記枢支部３Ｂを経た上蓋３をシーソー式に弾圧閉蓋状態にするための強弾性プラスチックやばね鋼材などで作った前下がり斜面６Ａ付きの閉蓋弾圧弾片６を上記開蓋保持弾片５と共に図５および図６の取り付け順序を経て図３、図４および図７のように容器１の後面板１Ｃに突設し、この閉蓋弾圧弾片６の弾撥力で上蓋３の前辺下面３Ａ（または、この下面に突設した縦リブ３Ｄ）を容器前辺１Ａにロール紙繰り出し部分２Ａを挟んで図３および図９のように容器前辺１Ａの上面に弾接させることで、前記弾圧閉蓋状態とするのであるが、この弾圧閉蓋強度は、前記繰り出し途中のロール紙２を千切らせずに弾圧して繰り出せ、しかも切断後の容器内ロール紙反転による容器外ロール紙繰り出し部分２Ａの容器内引き込みを阻止する程度の強度にそれぞれ設定する。
【０００９】
次いで、上記弾圧閉蓋状態における上蓋３をロール紙繰り出し部分２Ａの切断時などに妄りに開かないように弾圧閉蓋状態を確保するために、本発明では、図１のように上蓋３の前部端辺下面に突片３Ｅを突設し、この突片３Ｅに形成した斜面付き突起（または単なる突起や凹所とか孔）などの閉蓋維持部３Ｆを前記容器１の前部端辺内面に同図１のように形成した斜面付き突起（または単なる突起や凹所とか孔）などの閉蓋維持部１Ｅに図１１矢示の順序で各閉蓋維持部１Ｅ、３Ｆ同士をさらに手指などによる外力で各素材の固有弾力に抗してパチンと一発係合させ、閉じた上蓋３にロール紙切断力が加わっても前記弾圧閉蓋維持状態を確保できるようにすることで、上蓋３に加わるロール紙切断力がある程度強くても上蓋３を妄りに浮上させず、前記ロール紙繰り出し部分２Ａを上蓋３を手指などで押さえなくてもその前辺刃先４で上記図２のように確実に片手切断できる本発明によるロール紙繰り出し切断容器を構成できた。
ただし、各閉蓋維持部１Ｅ、３Ｆ同士の弾接係合ポイントは、前記弾圧閉蓋維持状態における上蓋３を前記閉蓋弾圧弾片６の弾撥力に抗して上向きに約１ｍｍ程度、押し上げできるように若干のアロワンスを持たせて位置決めする。
【００１０】
なお、前記開蓋保持弾片５と閉蓋弾圧弾片６との具体的な突設形態の一例として本発明では、上記開蓋保持弾片５と閉蓋弾圧弾片６とをそれぞれ一体突設した図５および図６のような強弾性プラスチック製の弾片形成部材７の係止鉤片７Ａをその固有弾力に抗して図６のような容器後面板１Ｃの係止孔縁１Ｄ内に係入後、この係止孔縁１Ｄに前記係止鉤片７Ａを復帰させ係止することで、容器後面板１Ｃに前記弾片形成部材７を図５および図７のように定着した図１および図２のような本発明によるロール紙繰り出し切断容器を構成することができる。
【００１１】
また、前記開蓋保持弾片５の弾力は、図４のような開蓋状態にある上蓋３が妄りに倒れない程度とし、また閉蓋弾圧弾片６の前下がり斜面６Ａまたは、手前斜め上に弾撥する弾片６自体による上蓋後縁３Ｃに対する上向き弾圧強度、つまり上蓋枢支部３Ｂを経た上蓋３の下向き閉蓋弾圧強度は、前記のように繰り出し途中のロール紙２を千切らずに弾圧して繰り出せ、閉蓋状態にある上蓋３がロール紙切断力では図２のように妄りに浮上せず、しかも切断後の容器内ロール紙反転による容器外ロール紙繰り出し部分２Ａが容器内ロール紙２の反転力で容器内に引き込まれない程度にそれぞれ設定する。
さらに、上記各閉蓋維持部１Ｅ、３Ｆ同士の係合強度は、二枚合わせのロール紙２や厚手のロール紙２を上蓋３の前辺刃先４で切断する時のように、閉蓋状態にある上蓋３がやや強いロール紙切断力では図２のように妄りに浮上せず、かつ、上蓋３を所望時に手指などでは開蓋できる程度に設定する。
なお、上蓋３の前部両側下面に突設した突片３Ｅでロール紙２の両側を繰り出し案内することもできる。
【００１２】
本発明の全体的な構成は以上のようなもので、以下本発明におけるロール紙繰り出し切断容器の実際的な使用動作例について説明する。
先ず、図４ような開蓋保持弾片５の弾力で上蓋後縁３Ｃを支持した上蓋開蓋状態にある容器１内にロール紙２を例えば投げ込み式に収納し、その繰り出し部分２Ａを同図鎖線のように容器前辺１Ａから手前に引き出し定位した後、容器開口縁１Ｂの後部に枢支部３Ｂで枢支した図４のような開蓋状態にある上蓋３を先ず、その上蓋後縁３Ｃに係合している開蓋保持弾片５の弾力に抗し、図８の矢示方向に向かう順序を経て下向きに閉じ始め、上蓋３が閉じ終わる直前になると、今度は、上蓋３とは反対向きにテコの原理により上向き回動する上蓋後縁３Ｃに閉蓋弾圧弾片６がその弾力に抗し、図９の矢示方向に向かう順序を経て係合し、閉蓋弾圧弾片６の前下がり斜面６Ａまたは、手前斜め上に弾撥する弾片６自体が上蓋後縁３Ｃを押し下げる向きに弾接係合した状態で図２、図３のように上蓋３を容器開口縁１Ｂに弾圧して被せ終えることができる。
【００１３】
この被せ終えた上蓋３の後縁３Ｃには、閉蓋弾圧弾片６の前下がり斜面６Ａまたは、手前斜め上に弾撥する弾片６自体によるかなり強い閉蓋弾撥力が引き続き加わっているため、テコの原理により枢支部３Ｂを経た上蓋３は、その自重による閉蓋力と共に上蓋前辺下面３Ａ（または、縦リブ３Ｄの下面）と容器前辺１Ａの上面とで前記ロール紙繰り出し部分２Ａを図３および図８のように引き出し途中の繰り出しロール紙２が千切れない程度に弾圧できるとともに、前記閉蓋弾圧弾片６の閉蓋弾撥力で図２および図３のように切断後の容器内ロール紙反転による容器外ロール紙繰り出し部分２Ａの容器内引き込みを阻止できる程度にそれぞれ前記上蓋３を弾圧閉蓋維持できる。
【００１４】
また、上記弾圧閉蓋状態は、上蓋３の前部端辺下面に突設した突片３Ｅの閉蓋維持部３Ｆと前記容器１の前部端辺内面に形成した閉蓋維持部１Ｅとをそれぞれ各素材の固有弾力に抗し、さらに手指などの外力で図１１の矢示方向に向かう順序でパチンと一発係合させることで確保することができるから、前記ロール紙２が二枚合わせのロール紙でもその繰り出し部分２Ａを前記上蓋３を持ち上げないでその前辺刃先４で上記図２のように無造作に切断して使用でき、この切断後には、図３のように上記前辺刃先４の下部にロール紙２の次回使用のためのロール紙摘み代２Ｂがてきている。
【００１５】
その後、容器１内のロール紙２を図１０のように使い終え、使用済のロール紙芯管２Ｃを容器１内から取り除き、新しいロール紙２を容器１内に投げ込み収納するには、同図１０のような閉蓋状態にある上蓋３をその自重および前記閉蓋弾圧弾片６および開蓋保持弾片５の各弾力および上蓋３の前記閉蓋維持部３Ｆと容器１の前記閉蓋維持部１Ｅとの各係合弾力にそれぞれ抗し、手指などで図１１の矢示と反対方向の順序を経て開け始め、次いで、図９および図８における各矢示方向とは反対向きの順序を経て図１および図４のようにほぼ直立開蓋することができ、この開蓋状態にある上蓋３は前記のように、その上蓋後縁３Ｃが開蓋保持弾片５の弾力に抗して弾撥支持状態となるから、上記開蓋状態にある上蓋３は、妄りに倒れることはなく安心して容器１内の空の芯管２Ｃを取り出し、新しいロール紙２と交換でき、その繰り出し部分２Ａを前記のように容器前辺１Ａから手前に引き出し定位した後、容器開口縁１Ｂに上蓋３を前記図３のように被せることで、上記新しいロール紙２を前記と同様に使用できる。
【００１６】
【実施例】
本発明に用いる前記開蓋保持弾片５および閉蓋弾圧弾片６との突設手段は、前記のような突設手段以外に、例えば上記各弾片５、６をゼンマイ鋼などの強弾性材で作り、これらをそれぞれ容器後面板１Ｃの内面にねじ止めや接着とかインサート成形などの固定手段で突設してもよく、また、上記各弾片５、６を例えばプラスチック容器１の成形時に容器後面板１Ｃに一体的に成形したり、強弾性プラスチック材で二色一体成形により突設してもよく、さらに、上記各弾片５、６をそれぞれ一体突設した弾片形成部材７は、容器後面板１Ｃにねじ止めや接着などで定着することで、上記各弾片５、６を容器後面板１Ｃに突設してもよい。
【００１７】
なお、前記容器１と上蓋３との側面形状をそれぞれほぼ円形およびほぼ弧形とすることで、より一層小型軽量、かつ、スマートなロール紙繰り出し切断容器となるし、また前記上蓋３の前辺下面３Ａに前記ロール紙２の周方向に沿わせて複数の縦リブ３Ｄを並列突設することで、ロール紙２の繰り出し部分２Ａの弾圧部分がスポット的に分散するため、ロール紙２の繰り出し案内のスムース化と、その千切れ防止とがそれぞれより一層確実になったし、前記上蓋３の前辺刃先４としては、ポリエステル・エラストマなどの柔軟で表面摩擦が大きい可撓弾性プラスチックで櫛歯状に射出成形した柔軟な刃先板を取着して用いてもよい。
【００１８】
【発明の効果】
本発明における請求項１の発明によれば、ロール紙繰り出し切断容器１の後面板１Ｃに前記上蓋３の枢支部３Ｂを経た上蓋後縁３Ｃに係合する開蓋保持弾片５と閉蓋弾圧弾片６とをそれぞれ突設し、前記開蓋保持弾片５で開蓋状態にある上蓋３の前倒を防止し、前記閉蓋弾圧弾片６の弾撥力で前記繰り出し途中のロール紙２を弾圧して繰り出せる程度に、しかも切断後の容器内ロール紙反転による容器外ロール紙繰り出し部分２Ａの容器内引き込みを阻止する程度にそれぞれ前記上蓋３を弾圧閉蓋維持できるとともに、前記容器１の前部端辺内面に形成した閉蓋維持部１Ｅに上蓋３の前部端辺下面に突設した突片３Ｅの閉蓋維持部３Ｆをさらに手指などによる外力で係合させることで、閉じた上蓋３にロール紙切断力が加わっても前記弾圧閉蓋維持状態を確保できたという優れた効果が有る。
【００１９】
すなわち、本発明における請求項１の発明によれば、前記従来例のような重い上蓋や錘付きの上蓋を用いなくても、本発明では、二枚合わせや厚手のロール紙でも上蓋３を浮上させないで無造作に、迅速容易、かつ安全確実に繰り出し切断でき、その軽量化を促進できるとともに、容器１に対する上蓋３の開蓋状態も開蓋保持弾片５で確保できるから、ロール紙２などの出し入れに当たり、上蓋３が邪魔にならず、また、特にこの発明では、開蓋保持弾片５と閉蓋弾圧弾片６とをそれぞれ容器１の後部に設け、閉蓋維持部１Ｅ、３Ｆをそれぞれ容器１と上蓋３の前部端辺に配設したので、容器１内にはロール紙２の収納や繰り出しを邪魔するものが皆無であり、容器内外がスッキリした感じのスマートなロール紙繰り出し切断容器を安価に多量製造できたという多くの優れた効果が有る。
【００２０】
本発明における請求項２の発明によれば、前記諸効果に加え、前記容器１をプラスチックで成形して作り、その後面板１Ｃの内面にプラスチック固有の弾力による開蓋保持弾片５と閉蓋弾圧弾片６とをそれぞれ一体突設したので、ロール紙繰り出し切断容器としての製造作業性を高めることができ、ロール紙繰り出し切断容器をより一層安価に多量製造することができたという効果を付加できた。
【００２１】
本発明における請求項３の発明によれば、前記諸効果に加え、前記上蓋３の閉蓋維持部３Ｆと前記容器１の閉蓋維持部１Ｅとをそれぞれ上蓋３と容器１の左右両側に設けたので、より一層安定に上蓋３の前記弾圧閉蓋状態を確保できるし、ロール紙２の繰り出し案内もでき、また、本発明における請求項４の発明のように、前記上蓋３の閉蓋維持部３Ｆと前記容器１の閉蓋維持部１Ｅとをそれぞれ斜面付き突起として形成すれば、より一層スムースに上蓋３の前記弾圧閉蓋状態を確保できるという効果を付加できた。
【００２２】
本発明における請求項５の発明によれば、前記諸効果に加え、前記上蓋３の枢支部３Ｂを経た上蓋後縁３Ｃに係合する開蓋保持弾片５と閉蓋弾圧弾片６とを突設した弾性プラスチック製の弾片形成部材７をその係止鉤片７Ａで容器後面板１Ｃの係止孔縁１Ｄに係止定着したのて、前記容器１を金属や弾力の少ない安価なプラスチックで作ることができ、より一層経済的に実施できるとともに、ロール紙繰り出し切断容器としての製造作業性を一段と高めることができ、より一層安価に多量製造することができるという効果を付加できた。
【００２３】
本発明における請求項６の発明によれば、前記諸効果に加え、前記容器１と上蓋３との側面形状をそれぞれほぼ円形およびほぼ弧形となしたので、より一層小型軽量かつ、スマートに実施できるし、本発明による請求項７の発明のように、前記上蓋３の前辺下面３Ａに前記ロール紙２の周方向に沿わせて複数の縦リブ３Ｄを並列突設すれば、ロール紙２の繰り出し部分２Ａの弾圧部分がスポット的に分散するため、ロール紙２の繰り出し案内のスムース化と、その千切れ防止とがそれぞれより一層確実になったし、本発明による請求項８の発明のように前記閉蓋弾圧弾片６に前下がり斜面６Ａを形成し、この斜面を上蓋後縁３Ｃに係合可能に構成すれば、閉蓋弾圧弾片６が形成し易く実装し易くもなるとともに、閉蓋弾圧維持作用がより一層確実になるという効果を付加できた。
【図面の簡単な説明】
【図１】本発明によるロール紙繰り出し切断容器の開蓋途中の例を示す斜視図
【図２】本発明によるロール紙繰り出し切断容器の使用状態を示す斜視図
【図３】本発明によるロール紙繰り出し切断容器の使用状態を示す縦断側面図
【図４】図３に示すものと状態を異にした縦断側面図
【図５】図１に示すものの要部切欠斜視図
【図６】本発明における容器後部に弾片形成部材を取着する例を示す斜視図
【図７】図１に示すものの後部を示す斜視図
【図８】本発明における上蓋と開蓋保持弾片との関係を示す要部拡大断面図
【図９】本発明における上蓋と閉蓋弾圧弾片との関係を示す要部拡大断面図
【図１０】図３に示すものと状態を異にした縦断側面図
【図１１】本発明における閉蓋維持部同士の係合関係を示す要部拡大断面図
【符号の説明】
１    ロール紙収納容器
１Ａ  容器前辺
１Ｂ  容器開口縁
１Ｃ  容器後面板
１Ｄ  容器後面板の係止孔縁
１Ｅ  閉蓋維持部（閉蓋維持突起または、凹所や孔）
２    ロール紙
２Ａ  ロール紙繰り出し部分
２Ｂ  ロール紙摘み代
２Ｃ  ロール紙芯管
３    上蓋
３Ａ  上蓋前辺下面
３Ｂ  上蓋枢支部
３Ｃ  上蓋後縁
３Ｄ  上蓋前辺下面の縦リブ
３Ｅ  突片
３Ｆ  閉蓋維持部（閉蓋維持突起または、凹所や孔）
４    上蓋の前辺刃先
５    開蓋保持弾片
６    閉蓋弾圧弾片
６Ａ  閉蓋弾圧弾片の前下がり斜面
７    弾片形成部材
７Ａ  弾片形成部材の係止鉤片
【図１】
2004202046.tif 000003
【図２】
2004202046.tif 000004
【図３】
2004202046.tif 000005
【図４】
2004202046.tif 000006
【図５】
2004202046.tif 000007
【図６】
2004202046.tif 000008
【図７】
2004202046.tif 000009
【図８】
2004202046.tif 000010
【図９】
2004202046.tif 000011
【図１０】
2004202046.tif 000012
【図１１】
2004202046.tif 000013